(57)【要約】  モジュール式配電を提案する。１つの案では、装置は、ハウジングアセンブリのベース部分に形成された開口を通り、前記ハウジングアセンブリの内部空洞内に突き出るモジュールを含むことができる。このモジュールは、１つの端部に、１以上の部品（例えば、ヒューズ、リレー、サーキットブレーカ、ダイオード、等）を受け入れるための部品グリッドと、反対側の端部に、端子で操作可能となる配線配列カバーとを含むことができる。この装置は、モジュールと開口を画定するベース部分との間を密封するために、モジュールの１以上の面に沿って設けられた機械的なシール要素をさらに含むことができる。他の１つの案では、複数のモジュールをベース部分に形成された複数の開口内に設置することができる。他の１つの案では、装置は、ベース部分とカバーとを取り外し可能に接続するよう構成されたブラケットを含むことができる。【選択図】図１
2018533814.tif 000002
【特許請求の範囲】
【請求項１】
ハウジングアセンブリのベース部分に形成された開口を通して前記ハウジングアセンブリの内部空洞内に突き出るモジュールであって、前記モジュールは部品グリッドを含むことを特徴とするモジュールと、
前記モジュールと、前記開口を画定するベース部分との間を密封するために、前記モジュールの面に沿って設けられた機械的なシール要素と、
を具備することを特徴とする装置。
【請求項２】
前記ベース部分と結合したブラケットであって、前記ブラケットは、前記ベース部分と前記ハウジングアセンブリのカバーとを取り外し可能に接続することを特徴とするブラケットをさらに具備することを特徴とする請求項１に記載の装置。
【請求項３】
前記モジュールと結合した配線配列カバーをさらに具備することを特徴とする請求項１に記載の装置。
【請求項４】
前記配線配列カバーは、前記ベース部分の外側に設けられることを特徴とする請求項３に記載の装置。
【請求項５】
前記モジュールは、前記配線配列カバーを前記モジュールに取り外し可能に接続する配列カバーファスナーを含むことを特徴とする請求項３に記載の装置。
【請求項６】
前記モジュールは、前記ベース部分と前記モジュールとを取り外し可能に接続するモジュールファスナーを含むことを特徴とする請求項１に記載の装置。
【請求項７】
前記機械的なシール要素は、稜線に隣接するガスケットを具備し、前記稜線は、前記モジュールの面から突き出ていることを特徴とする請求項１に記載の装置。
【請求項８】
前記機械的なシール要素に隣接する前記ベース部分の出っ張りをさらに具備することを特徴とする請求項１に記載の装置。
【請求項９】
前記ベース部分のベース壁に形成された複数の開口を通して前記ベース部分の前記内部空洞に突き出る複数のモジュールをさらに具備することを特徴とする請求項１に記載の装置。
【請求項１０】
カバーと結合したベース部分を含むハウジングアセンブリと、
前記ベース部分に形成された１以上の開口を通して前記ハウジングアセンブリの内部空洞に突き出る１組のモジュールであって、前記モジュールの各々は第１の端部に設けられた部品グリッドを含むことを特徴とするモジュールと、
前記モジュールの各々と前記１以上の開口を画定する前記ベース部分との間のシールを行うために前記モジュールの各々の１以上の側壁に沿って設けられた機械的なシール要素と、
を具備するモジュール式配電装置。
【請求項１１】
前記ベース部分のピンに回動可能に結合したブラケットであって、前記ブラケットは、前記ベース部分を前記カバーに取り外し可能に接続することを特徴とする請求項１０に記載のモジュール式配電装置。
【請求項１２】
１以上の前記モジュールの第２の端部に結合した配線配列カバーをさらに具備することを特徴とする請求項１０に記載のモジュール式配電装置。
【請求項１３】
前記配線配列カバーは、前記ベース部分の外側に設けられることを特徴とする請求項１２に記載のモジュール式配電装置。
【請求項１４】
前記配線配列カバーを前記モジュールの各々の前記第２の端部に取り外し可能に接続するために、前記モジュールの各々の１以上の前記側壁に沿って設けられた配列カバーファスナーをさらに具備することを特徴とする請求項１２に記載のモジュール式配電装置。
【請求項１５】
前記モジュールの各々の前記ベース部分に取り外し可能に接続するために、前記モジュールの各々の１以上の前記側壁に沿って設けられたモジュールファスナーをさらに具備することを特徴とする請求項１０に記載のモジュール式配電装置。
【請求項１６】
前記機械的なシール要素は、ガスケットで裏打ちされた稜線を含み、前記稜線は、前記モジュールの各々の１以上の前記側壁から実質的に垂直に突き出ていることを特徴とする請求項１０に記載のモジュール式配電装置。
【請求項１７】
前記１以上の開口は各々前記機械的なシール要素に隣接する前記ベース部分の出っ張りを画定することを特徴とする請求項１０に記載のモジュール式配電装置。
【請求項１８】
ベース部分及びカバーを含むハウジングアセンブリであって、前記ベース部分は、
複数の開口を含むベース壁と、
前記ベース壁から実質的に垂直に突き出る内部壁と、
を具備し、
前記内部壁は前記カバーと取り外し可能に結合していることを特徴とするハウジングアセンブリと、
前記ベース壁の複数の開口を通して前記ハウジングアセンブリの内部空洞に突き出る複数のモジュールであって、前記モジュールの各々は、
第１の端部に設けられた部品グリッドと、
前記複数のモジュールの各々の１以上の側壁に沿って設けられた機械的なシール要素であって、前記機械的なシール要素は、前記ベース壁と接触することを特徴とする機械的なシール要素と、
を含むことを特徴とするモジュールと、
を具備するモジュール式電力システム。
【請求項１９】
前記複数のモジュールの各々の第２の端部と結合した配線配列カバーであって、前記配線配列カバーは、前記ベース部分の外側に設けられることを特徴とする請求項１８に記載のモジュール式電力システム。
【請求項２０】
前記配線配列カバーを前記複数のモジュールの各々に取り外し可能に接続するために構成された配列カバーファスナーと、前記ベース部分を前記複数のモジュールの各々に取り外し可能に接続するために構成されたモジュールファスナーとをさらに具備することを特徴とする請求項１９に記載のモジュール式電力システム。
【発明の詳細な説明】
【技術分野】
【０００１】
本開示は、一般に配電アセンブリに関し、より具体的には、密封されたモジュール式ヒューズボックスシステムに関する。
【背景技術】
【０００２】
ヒューズ、リレー、ダイオード、等のような部品は、バッテリーと始動装置、発電機、等のような種々の部品との間の接続を行うために自動車で用いられる。ヒューズは、自動車のバッテリーに接続することができるヒューズアセンブリ内に取り付けることができる。ヒューズは、端子に設けられた１対の突起に個々に摩擦挿入することができる。端子は、上部と下部のプレスフィット層により固定される。ハウジングアセンブリの上部ハウジングには、孔があり、操作員がヒューズを１対の突起に設置することができるように前記突起はこの孔に伸びている。しかしながら、配電アセンブリは複数の部品を含み、マルチパートハウジングは、製造及び組み立てが高価となり、小型用途に対する需要に対応するための、縮小拡大が可能なカスタマイズ化ができない。
【発明の概要】
【０００３】
前述の観点から、ヒューズボックス全体のカスタマイズ化を可能とするほどの大きさを有しなくてもよい、小型用途に対する需要に柔軟にこたえることのできる、密封されたモジュール式配電装置を提供することが好都合である。加えて、ハウジングアセンブリに対して密封され、ハウジングアセンブリ内の１以上の部品（例えば、ヒューズ、リレー、サーキットブレーカ、ダイオード、等）に端子を直接つなぐための、ハウジングアセンブリのベース壁を通して形成された開口を通して端子で受け取るよう構成された交換可能なモジュールを提供することが好都合である。
【０００４】
本開示による例示的な提案では、ハウジングアセンブリのベース部分に形成された開口を通してハウジングアセンブリの内部空洞内に突き出るモジュールを有する装置を含むことができ、このモジュールは部品グリッドを含む。この装置は、さらに、モジュールと前記開口を画定するベース部分との間を密封するために、モジュール面に沿って設けられた機械的なシール要素を含むことができる。
【０００５】
本開示によるさらなる例示的な提案では、カバーと結合したベース部分を含むハウジングアセンブリと、前記ベース部分に形成された１以上の開口を通り、前記ハウジングアセンブリの内部空洞内に突き出る１組のモジュールとを含むことができる。前記モジュールの各々は、第１の端部に設けられた部品グリッドを含むことができる。このモジュール式配電装置は、前記１組のモジュールと前記１以上の開口の各々を画定するベース部分との間を密封するために、前記１組のモジュールの各々の１以上の側壁に沿って設けられた機械的なシール要素を含むことができる。
【０００６】
本開示による他の例示的な提案は、ベース部分及びカバーを含むハウジングアセンブリを有するモジュール式電力システムを含むことができる。ベース部分は、複数の開口を含むベース壁と、前記ベース壁から実質的に垂直に延びる内部壁とを含むことができ、前記内部壁は、前記カバーと取り外し可能に結合していることを特徴とする。このモジュール式電力システムは、前記ベース壁の複数の開口を通り、前記ハウジングアセンブリの内部空洞内に延びる複数のモジュールをさらに含むことができる。前記モジュールの各々は、第１の端部に設けられた部品グリッドと、前記モジュールの各々の１以上の側壁に沿って設けられた機械的なシール要素とを含み、前記機械的なシール要素は、前記ベース壁と接触する。
【図面の簡単な説明】
【０００７】
【図１】例示的実施形態による装置を示す等角投影図である。
【０００８】
【図２】例示的実施形態による図１に示した装置の組立等角投影図である。
【０００９】
【図３】例示的実施形態による図１に示したアセンブリの断面図である。
【００１０】
【図４Ａ】例示的実施形態による図１に示した装置のベース部分の等角投影図である。
【００１１】
【図４Ｂ】例示的実施形態による図４Ａに示した装置のベース部分の底面図である。
【００１２】
【図５Ａ】例示的実施形態による図１に示した装置の１組のモジュールの等角投影図である。
【００１３】
【図５Ｂ】例示的実施形態による図５Ａに示した装置の１組のモジュールの底面図である。
【００１４】
図は必ずしも均一の縮尺ではない。図は単に説明のためであり、開示内容の具体的なパラメータを表現するためのものではない。図は、開示した一般的な実施形態を表示することを意図し、従って、技術的範囲を限定するものと解釈してはならない。図において、類似する番号は類似する構成要素を表す。
【００１５】
さらに、明確に表現するために、いくつかの図面において特定の構成要素は省略され、又はノンスケールとなっていることがある。断面図は、明確に表現するために、「実際の」断面図であれば見えてしまういくつかの背景線を省略した、「薄切り」又は「近視的」断面図の形式となっていることがある。さらに、明確にするために、いくつかの参照番号はいくつかの図面では省略されていることがある。
【発明を実施するための形態】
【００１６】
本開示による装置、モジュール式配電装置、及びモジュール式電力システムについて、システム及び方法の実施形態を示した添付図を参照して全体を以下に説明する。この装置、モジュール式配電装置、及びモジュール式電力システムは、しかしながら、多くの異なる形式で実施することができ、ここに述べた実施形態に限定するものと解釈すべきではない。むしろ、これらの実施形態は、この開示を完全なものとし、システム及び方法の技術的範囲を当業者に全て伝達するために提示するものである。
【００１７】
利便性及び明確性を目的として、「頂部」、「底部」、「上部」、「下部」、「垂直」、「水平」、「側部」、及び、「縦」は、図１〜５に現れるセンサー装置及び／又はハウジングアセンブリの幾何形状及び方向に関する構成要素及び構成部品の相対的位置又は方向を記述するためにここで用いられる。用語には、具体的に説明された語、それから派生した語、及び、類似の意味及び／又は意義を持つ語が含まれる。
【００１８】
ここで、単語「ａ」又は「an」が先行し、単数として用いられている要素又は動作には、例外として明示されていない限り、複数の素子又は動作を含むものと理解すべきである。さらに、本開示の「１つの実施形態」とは、限定を意図するものではない。さらなる実施形態も列挙された特徴に含めることができる。
【００１９】
上述の通り、ここでの提案は、密封されたモジュール式装置を用いたカスタマイズされた配電を行うためのものである。１つの案では、装置は、ハウジングアセンブリのベース部分に形成された開口を通り、前記ハウジングアセンブリの内部空洞内に延びるモジュールを含むことができる。このモジュールは、１つの端部に、１以上の部品（例えば、ヒューズ、リレー、サーキットブレーカ、ダイオード、等）を受け入れるための部品グリッドと、反対側の端部に、端子で操作可能となる配線配列カバーとを含むことができる。この装置は、モジュールと開口を画定するベース部分との間を密封するために、モジュールの１以上の面に沿って設けられた機械的なシール要素をさらに含むことができる。他の１つの案では、複数のモジュールをベース部分に形成された複数の開口内に設置することができる。他の１つの案では、装置は、ベース部分とカバーとを取り外し可能に接続するよう構成されたブラケットを含むことができる。
【００２０】
図１〜３を参照すると、本開示によるモジュール式配電装置／システム（以下、装置１０）の例示的実施形態が示されている。この例示的な装置１０は、カバー２２に結合されたハウジングアセンブリ１４と、ベース部分１８に取り外し可能に取り付けられその中の回路保護部品を保護するカバー２２と、を含む。例えば開放型ヒューズの交換又は配電系統の点検のため、カバー２２は取り外すことができる。カバー２２は、ほこり、湿分、その他の汚染物質が回路保護装置に付着しないように、シール機能を有する。
【００２１】
１つの実施形態において、以下に詳述するように、カバー２２はベース部分１８とスナップ式取り付けができ、及び／又は、カバーをハウジングに取り外し可能に固定するための１以上のラッチ機構を含むことができる。代替的実施形態において、カバー２２はベース部分１８にねじ止めされ、車両が動き、振動を生じさせ、カバー２２を緩める可能性があるときでも、カバーのねじ止めにより堅固に保持するよう、カバー２２に対して張力を加えるスプリングシールを含むことができる。スプリング機構は、カバー２２とベース部分１８との間のシール機能も含む。具体的に示していないが、カバー２２は、タブ、突起、収納部、等のような、把持及び取り外しをさらに容易にするための手段も含むことができる。
【００２２】
ベース部分１８は、１以上の取り付け孔３０のみならず、複数のハウジングアセンブリを一緒に取り付けるための１組のインターロック機能２６も含むことができる。いくつかの実施形態では、ハウジングアセンブリ１４は、図示されるような形状を形成するために形作られるプラスチックのような、絶縁素材で作ることができる。いくつかの実施形態では、ベース部分１８及びカバー２２は、例えば、ナイロン、ガラス繊維入りナイロン、ポリエステル、及びポリカーボネートのような絶縁プラスチック等の、同じ素材又は別々の素材で作ることができる。
【００２３】
図示の通り、装置１０は、ベース部分１８のピン３８（図３）と結合した１以上のブラケット３４をさらに含み、このブラケット３４はベース部分１８をカバー２２に取り外し可能に結合するよう構成されている。１つの実施形態において、ブラケット３４は、各ブラケット３４の上端部４２をカバー２２に近づくよう／遠ざかるよう動かすために、ピン３８の軸の周りを回動する。例えば図２に示すように、カバーが使われていないとき、ブラケット３４を回転させ、カバー２２から遠ざけることができる。そして、カバー２２がベース部分１８に乗せられると、カバー２２の第１のサポート構造４４がベース部分１８の第２のサポート構造４６の上に配置され揃えられる。第１のサポート構造４４及び第２のサポート構造４６は、それぞれ、カバー２２の端部壁面５０から及びベース部分１８の端部壁面５２から垂直に突き出る。さらに、図示の通り、クロスブレース５６は、カバー２２の第１のサポート構造４４の間に伸びるとともに、カバー２２をベース部分１８に固定するための各ブラケット３４の上端部４２にある突出部６０とかみ合うよう構成されたタブ５８を含む。
【００２４】
さらに図３に示されるように、装置１０は、カバー２２とベース部分１８との間に、シールを行うために設置されたシール用ストリップ６２をさらに含むことができる。１つの実施形態において、シール用ストリップ６２は、ベース部分１８の上部のリム６４とカバー２２の下部の肩部６６との間を機械的にシールするために、複数の稜線と溝とで構成されたエラストマーである。
【００２５】
ここで、図２〜４を参照して、ハウジングアセンブリ１４とともに実施可能な１組の互換性のあるモジュールの詳細を説明する。単一の一体構造となった絶縁性のハウジングアセンブリ及び配電ブロックとは異なり、本開示の装置１０は、カスタマイズ可能な電気接続を行う１以上のモジュール７０Ａ及び７０Ｂを含む。モジュール７０Ａ及び７０Ｂは、別々のバス構成又はバスのない構成に対応するためにハウジングアセンブリ１４のベース部分１８とスナップ取り付けによる組み立てを可能にする。図２〜４は、対応する１対の開口から延びる１対のモジュール７０Ａ及び７０Ｂを示しているが、当然のことながら、装置１０は大きくすることが可能であり、従って、他の実施形態においてもっと多くのモジュール及び開口を受け入れることは可能である。
【００２６】
１つの実施形態において、装置１０は、ハウジングアセンブリ１４のベース部分１８に形成された対応する１以上の開口７６Ａ及び７６Ｂを通ってハウジングアセンブリ１４の内部空洞７４へ突き出る１以上のモジュール７０Ａ及び７０Ｂを含む。図示の通り、ベース部分１８は、開口７６Ａ及び７６Ｂを有するベース壁７８を含み、開口７６Ａ及び７６Ｂは、モジュール７０Ａ及び７０Ｂを受け入れるよう構成されている。開口７６Ａ及び７６Ｂは、フレーム要素７７を形成することで分離することができ、各モジュール７０Ａ及び７０Ｂの側壁８６から側方に突き出るフランジ８４と嵌合させるために第１の出っ張り８２を含むことができる。開口７６Ａ及び７６Ｂの各々は、モジュール７０Ａ及び７０Ｂの１以上の側壁に沿って設けられた機械的なシール要素９０と嵌合させるために第２の出っ張り８８をさらに画定することができる。図示の通り、開口７６Ａ及び７６Ｂ内に配置したとき第１の出っ張り８２はフランジ８４と隣接し、第２の出っ張り８８は、機械的なシール要素９０と隣接し、モジュール７０Ａ及び７０Ｂは、空洞７４内の面９２と実質的に同一面をなす。
【００２７】
ここで、図３〜５を参照して、モジュール７０Ａ及び７０Ｂについて詳述する。図示の通り、各モジュール７０Ａ及び７０Ｂは、モジュール７０Ａ及び７０Ｂと、それぞれ開口７６Ａ及び７６Ｂを画定するベース部分１８との間のシールを行うために、側壁８６に沿って設けられた機械的なシール要素９０を含む。１つの実施形態において、機械的なシール要素９０は、稜線９６と接触するガスケット９４（例えば、エラストマー）を含み、ガスケット９４及び稜線９６はモジュール７０Ａ及び７０Ｂの各側部から垂直に突き出てモジュール７０Ａ及び７０Ｂの各々に境界面を形成する。図示の通り、ガスケット９４は、稜線９６と各開口７６Ａ及び７６Ｂの第２の出っ張り８８との間をシールするために、これらの間に設置される。
【００２８】
例示的実施形態において、図２にさらに明確に示されているように、各モジュール７０Ａ及び７０Ｂは、その第１の端部９９に設けられた部品グリッド９８を含む。図示の通り、部品グリッド９８は、各モジュール７０Ａ及び７０Ｂと結合し、部品グリッド９８がベース部分１８の空洞７４内に露出し、面９２と実質的に同一面となるように開口７６Ａ及び７６Ｂ内に設置することができる。例示的実施形態において、部品グリッド９８は、ヒューズ又は回路保護装置（過電流又は過電圧）のような、装置１０の部品グリッド９８に差し込む複数の部品のための複数のフットプリントを形成する縦横に並んだ孔を含むことができる。
【００２９】
部品グリッド９８内の孔は、同じ形式の複数のヒューズを形成することができる。代替的に、これらの孔は、異なる形式の異なるフットプリントを形成する。１つの実施形態において、部品グリッド９８の孔は、ＭＩＮＩ（登録商標）ヒューズのような、複数の平形オス端子のフットプリントを形成する。他の実施形態において、これらの孔は、カートリッジオス端子のヒューズ（例えば、本開示の譲り受け人により提供されるＪＣＡＳＥ（商標）ヒューズ）又は、より大きな形のヒューズ（例えば、本開示の譲り受け人により提供されるＡＴＯ（登録商標）ヒューズ又はＭＡＸＩ（登録商標）ヒューズ）のためのフットプリントを形成することができる。部品は、マイクロリレーとすることができる一方、他の部品としてＩＳＯ／電力リレーとすることができる。従って、装置１０はヒューズ作動に限定されない。
【００３０】
ヒューズ及び他の部品は、乗用車、トラック、オートバイ、ボート、水上オートバイ、全地形対応車、及び他のスポーツ車両又は他の車両のような、自動車用として記載されている。しかしながら、本開示による教示及び装置１０の利点及び長所は車両への応用に限定されない。
【００３１】
種々の実施形態において、モジュール７０Ａ及び７０Ｂは、バス構成及び／又はバスのない構成とすることができる。例えば、１以上のモジュール７０Ａ及び７０Ｂは、バスエレメント（例えば、バスバー）なしで動作することができる。内部バスを省略することにより、直接ワイヤーから部品への接続を用いることで回路のカスタム化が非常に容易になる。１つの実施形態において、バスのないモジュールは、以下の部品構成、すなわち、（８）ＭＩＮＩ（登録商標）；（６）ＡＴＯ（登録商標）；（３）ＭＡＸＩ（登録商標）；（４）ＪＣＡＳＥ（商標）；（１）ＩＳＯ電力フォームＣＭＩＮＩ（登録商標）リレー及び（２）ＡＴＯ（登録商標）；（１）ＩＳＯ電力リレー；（２）ＩＳＯマイクロフォームＡ及び（２）ＡＴＯ（登録商標）、（２）ＭＡＸＩ（登録商標）及び（２）ＡＴＯ（登録商標）；（２）Ｄｅｌｐｈｉ（登録商標）Ｍｅｔｒｉ−Ｐａｃｋ２８０シリーズフォームＣリレー及び（２）Ｄｅｌｐｈｉ（登録商標）Ｍｅｔｒｉ−Ｐａｃｋ２８０シリーズフォームＡターミナル；及び（４）Ｄｅｌｐｈｉ（登録商標）Ｍｅｔｒｉ−Ｐａｃｋ２８０シリーズフォームＡターミナル及び（４）ＭＩＮＩ（登録商標）のうちの１以上を受け入れることができる。
【００３２】
他の実施形態において、１以上のモジュール７０Ａ及び７０Ｂは、モジュールの接続されたバスバーのようなバスエレメントを含む。例えば、バス構成のモジュールは、以下の部品構成、すなわち、（８）ＭＩＮＩ（登録商標）；（６）ＡＴＯ（登録商標）；（４）ＪＣＡＳＥ（商標）；（１）ＩＳＯ電力リレーフォームＡ及び（１）ＭＡＸＩ（登録商標）；（２）ＩＳＯＭＩＮＩ（登録商標）フォームＣ及び（２）ＡＴＯ（登録商標）；（１）ＩＳＯ電力リレーフォームＡ及び（２）ＪＣＡＳＥ（商標）；（２）Ｄｅｌｐｈｉ（登録商標）Ｍｅｔｒｉ−Ｐａｃｋ２８０シリーズフォームＣターミナル及び（２）シリーズフォームＡターミナル；及び（４）Ｄｅｌｐｈｉ（登録商標）Ｍｅｔｒｉ−Ｐａｃｋ２８０シリーズフォームＡターミナル及び（４）ＭＩＮＩ（登録商標）のうちの１以上を受け入れることができる。バスバーは、適切な導電素材、例えば、比較的大電流を通すことができる素材で作ることができる。このような適切な素材のうちの１つは、１／２硬質の９９．９％の純銅であるＣ１１００合金である。他の実施形態において、バスバーは１以上のヒートシンクを含む。
【００３３】
図２及び５に示すように、モジュール７０Ａ及び７０Ｂを開口７６Ａ及び７６Ｂ内に固定するために、モジュール７０Ａ及び７０Ｂは、開口７６Ａ及び７６Ｂの内部に沿って対応するエレメント（不図示）に取り外し可能に接続する１以上のモジュールファスナー１００を含む。１つの実施形態において、各モジュールファスナー１００は開口７６Ａ及び７６Ｂの側壁の孔に入る保持用突起１０２を有するスナップフィットコネクタとすることができる。１つの実施形態において、このスナップフィットコネクタは隣接する部分の主要な端部の下に伸びてゆき、隣接する部分の嵌合端部が相互に少し重複し、相互に構造的な堅牢さを形成するように、開口７６Ａ及び７６Ｂの側壁に沿った嵌合部の内側の溝の対応するスロット（不図示）に受け入れられるようになった１以上の舌部を含む。１つの実施形態において、モジュールファスナー１００は、工具を使わないで手でモジュール７０Ａ及び７０Ｂの組み立て及び取り外しを容易にする確実なレジスタンス着脱を行う。
【００３４】
図２、３、及び５を参照して、モジュール７０Ａ及び７０Ｂの各々に取り付けられた配線配列カバーについて詳述する。図示の通り、モジュール７０Ａ及び７０Ｂの各々には第２の端部１０７で配線配列カバー１０６と結合し、配線配列カバー１０６はベース部分１８の外側に設けられる。例示的実施形態において、配線配列カバー１０６は、モジュール７０Ａ及び７０Ｂ中の複数の開口１０９（図５Ｂ）と実質的に位置合わせされた複数の開口１０８に挿入されたリード線の二次的なロック保護を行う、端子位置保証ロック（ＴＰＡ）となる。図５Ｂのモジュール７０Ｂは、説明のため配線配列カバー１０６なしで示されている。
【００３５】
配線配列カバー１０６は、ワイヤーを配線した後、モジュール７０Ａ及び７０Ｂの底部に取り付け、ケーブルのシールと干渉しないようにすることができる。図示の通り、配線配列カバー１０６は、モジュール７０Ａ及び７０Ｂの側壁に沿って設けられた１以上の配列カバーファスナー１１０を介してモジュール７０Ａ及び７０Ｂに固定され、配列カバーファスナー１１０は、配線配列カバー１０６とモジュール７０Ａ及び７０Ｂの各々とを取り外し可能に結合するよう構成されている。１つの実施形態において、各配列カバーファスナー１１０は、孔１１４で受け入れられる保持突起を有するスナップフィットコネクタである。
【００３６】
図示されていないが、複数のターミナルを第２の端部１０７でモジュール７０Ａ及び７０Ｂと接続することができ、ターミナルは、複数の開口７６Ａ及び７６Ｂを介してモジュール７０Ａ及び７０Ｂを通って突き出て、ベース部分１８のベース壁７８を通り、部品グリッド９８の部品に直接つながる。代替的に、モジュール７０Ａ及び７０Ｂは、ターミナルに加えてケーブルシール及び／又はキャビティプラグの組み合わせを受け入れることができる。１つの実施形態において、ターミナルは、各々がヒューズを取り付けたターミナルの１つにプレスフィットした１対のブレードターミナルを含む、オスのブレード形ヒューズ（例えば、ＭＩＮＩ（登録商標）ヒューズ）を含むことができる。各ヒューズに対して、ターミナルの１つは、車両内で負荷に伸びているトレースに接続することができる。他のターミナルは、共通の電気接続に伸びているトレースに電気的に接続することができる。
【００３７】
例示的実施形態において、モジュール７０Ａ〜Ｎはデザインに柔軟性を持たせて、国際的に標準化されたオスのブレードサイズを用いたターミナルで動作可能である。例えばブレードサイズは、許容電流範囲が１４から６０アンペアとなる、１．５ｍｍから８ｍｍの範囲とすることができる。ターミナルは、自動化されたプルツーシート及びプッシュツーシートアセンブリ、二重ステージクリンピング、ロードセルクリンプ検査、及び自動部品識別及び方向付けのような、処理技術と相性のよい設計とすることができる。ターミナルは、極端な温度、薬物、及び摩耗に晒されることを減らすためにシールすることができる。
【００３８】
いくつかの実施形態では、ターミナルは、プリント配線基板（ＰＣＢ）にはんだ付けすることもしないこともできる（例えば、フローはんだ付けされた）実装ターミナル（例えば、音さのような構成）とすることができる。代替的実施形態において、ターミナルは、ＰＣＢに表面実装される。この場合、ターミナルはＰＣＢを貫通しない。
【００３９】
ＰＣＢにより、ヒューズとターミナルとの間の回路の経路が作られる。ＰＣＢは、ヒューズ取り付けターミナルからコネクタターミナル、スタッドコネクタ、等へとつながるトレースを含む。ＰＣＢは、ＦＲ−４素材で作ることができるが、より硬い素材が必要な場合は代替的にセラミックとすることができる。ＰＣＢは、単層又は多層とすることができ顧客の設計によりカスタマイズすることができる。ＰＣＢには、バスバー、又は、ヒューズ取り付けターミナル及びコネクタターミナルへの共通結合部として働く幅広のトレースを取り付けることができる。
【００４０】
ＰＣＢには、金属酸化物バリスタ（ＭＯＶ）、ダイオード、及びサイリスタの形式の過電圧保護のような他の形式の回路保護を取り付けることができる。過電圧保護装置は、たとえば、自動車に取り付けられた低い動作電圧又は低い信号レベルの装置を保護するために用いることができる。過電圧保護装置は、ＰＣＢのヒューズと同じ側又は、ＰＣＢの反対側又は底部に取り付けることができる。
【００４１】
先の説明から、ここに開示した実施形態により少なくとも以下の利点が達成される。種々の配電モジュールをモジュール化することによりカスタマイズが可能になることは１つの利点である。ノンフィードスルーターミナル、フィードスルーターミナル、ねじ止めカバー、スナップ式カバー、ボルト止めカバー、ねじ止めベース、スナップ式ベース、ボルト止めベース、を使っても使わなくても、モジュールは、顧客が取り付け構成を変化させずにモジュールを切り替えることができるように、同じ取り付けフットプリントを有する。比較的製造及び取り付けが容易な、車両のモジュール式配電装置を提供することは本開示の他の利点である。代替的に部品密度及び回路密度の高い、車両の配電モジュールを提供することは本開示のさらに別の利点である。同じフットプリントに載せる部品及び／又は回路の量をさらに増大させる貫通接続構成を有する、車両の配電モジュールを提供することは本開示のもう１つ別の利点である。異なるモジュールハウジングを同じ鋳型で製造するための既成の方法を提供することは本開示のさらなる利点である。さらに、顧客の取り付け装置を再構成することなしにモジュールを交換することができるように、標準化された取り付け穴のパターンを有するモジュール式配電装置を提供することも本開示の利点である。さらに加えて、外部の汚染物質がハウジングアセンブリの内部に入ることを効果的に防止する配電モジュールを提供することは本開示の利点である。
【００４２】
開示した特定の実施形態を説明したが、これらの開示内容に限定することを意図するものではない。開示は、技術的に許される限りそして明細書から読み取ることができる範囲で技術的範囲を広くすることを意図するものである。従って、本開示は限定のためではなく特定の実施形態を単に例示するためのものである。当業者であれば、添付特許請求の範囲の技術的範囲内及び技術的思想内で他の修正に想到するであろう。
【図１】
2018533814.tif 000003
【図２】
2018533814.tif 000004
【図３】
2018533814.tif 000005
【図４Ａ】
2018533814.tif 000006
【図４Ｂ】
2018533814.tif 000007
【図５Ａ】
2018533814.tif 000008
【図５Ｂ】
2018533814.tif 000009
【国際調査報告】
2018533814.tif 000010